(57)【要約】【課題】  安全用の側柵を備えたベッドであって、低床化に貢献しうる側柵格納手段を備えたベッドを提供する。【手段】  側柵を複数本の棒状支柱と、その上端に横架された上部横杆とを有するものに構成する。一方、側柵を取り付ける単位ボトムの寝床面構成部材に中空桟部材を用いてボトム幅方向に配置し、上記側柵の支柱を、ボトムの上記中空桟部材に挿入することによって、側柵をボトム内に格納可能なものとする。【選択図】  図１
2006000318.tif 000002
【特許請求の範囲】
【請求項１】
ボトムの幅方向端部に側柵が設けられたベッドにおいて、
前記側柵は、少なくとも１対の棒状支柱と、これらの支柱の上端間に横架状に設けられた上部横杆とを備えて、起立姿勢と水平状の倒状姿勢とに転換自在なものとなされ、
前記ボトムは、その寝床面構成部材にボトムの幅方向に延設された複数個の中空桟部材を備え、
前記側柵を、倒状姿勢においてその支柱を前記中空桟部材内に挿入することにより前記ボトム内に格納しうるようになされていることを特徴とする格納型側柵付きベッド。
【請求項２】
ボトムの幅方向端部に側柵が設けられたベッドにおいて、
側柵は、少なくとも１対の棒状支柱と、これらの支柱の上端間に横架状に設けられた上部横杆とを備え、
前記ボトムは、その寝床面構成部材にボトムの幅方向に延設された複数個の中空桟部材を備え、
前記中空桟部材のボトム幅方向端部に、前記側柵の支柱を起立状態に保持すると共に、この起立保持状態を解除可能であり、かつこの解除状態において側柵をボトムと同じ平面内に倒状転回可能なものとする側柵保持機構が設けられ、
前記側柵を前記倒状させた状態においてその支柱を前記中空桟部材内に挿入することにより前記ボトム内に格納しうるようになされていることを特徴とする格納型側柵付きベッド。
【請求項３】
側柵及びボトムがいずれもアルミニウム製である請求項１または２に記載の格納型側柵付きベッド。
【請求項４】
ボトムの中空桟部材が、断面略長方形のアルミニウム押出型材からなる請求項３に記載の格納型側柵付きベッド。
【請求項５】
前記中空桟部材の中空部内に、該桟部材の長手方向にスライド可能なスライダーが配置され、
該スライダーに側柵の支柱の下端が軸着されて側柵が起状転回可能なものとなされている請求項１ないし４のいずれか１に記載の格納型側柵付きベッド。
【請求項６】
スライダーが合成樹脂製である請求項５に記載の格納型側柵付きベッド。
【請求項７】
スライダーの周側面の少なくとも一つの面に、ボトムの中空桟部材の内面に弾接してスライダーの安定摺動を促す板ばねが装着されてなる請求項５または６に記載の格納型側柵付きベッド。
【請求項８】
スライダーの上面および少なくとも一側面に前記板ばねが装着されてなる請求項７に記載の格納型側柵付きベッド。
【請求項９】
前記板ばねは、その長さ方向の一端部がスライダーに固着され、他端部がスライダーの外面から遊離して中空桟部材の内面に当接されてなる請求項７または８に記載の格納型側柵付きベッド。
【請求項１０】
ボトムの中空桟部材の中空部の内面に長さ方向に連続する凸状または凹状のレール部が設けられると共に、スライダーに前記レール部に対応する凹状または凸状の案内部が設けられている請求項５ないし９のいずれか１に記載の格納型側柵付きベッド。
【請求項１１】
スライダーは、ボトムの幅方向端縁側の一端に突出状に設けられた軸受部を有し、該軸受部に側柵の支柱の下端部が回転可能に軸着されてなる請求項５ないし１０のいずれか１に記載の格納型側柵付きベッド。
【請求項１２】
側柵の支柱の下端に、軸着用の枢軸が貫通された上下方向に長い長孔を有し、該長孔の長さ範囲内で前記支柱が起立姿勢で上下方向に移動変位可能なものとなされると共に、該支柱の下降位置においてその下端部を受け入れて拘束する竪穴を有する支柱受部材が具備されている請求項１１に記載の格納型側柵付きベッド。
【請求項１３】
前記支柱受部材は、逆ハット型の断面形状を有し、その上端のフランジ部の一端部がボトムの中空桟部材の端部に固着されている請求項１２に記載の格納型側柵付きベッド。
【請求項１４】
前記支柱受部材が、ボルト・ナットによって中空桟部材に固着され、該固着用ボルト・ナットの一端部が中空桟部材の端部内面に突出され、この突出部をもってスライダーの中空桟部材からの脱出防止用のストッパーを構成している請求項１３に記載の格納型側柵付きベッド。
【請求項１５】
ボトムの起状機構を備えたベッドであって、
前記ボトムは、背に対応する背ボトム、腰に対応する腰ボトム、膝に対応する膝ボトム、及び足に対応する足ボトムに分割され、
少なくとも前記背ボトムに側柵が装着されていることを特徴とする請求項１ないし１４のいずれか１に記載の格納型側柵付きベッド。
【請求項１６】
側柵が、背ボトム、膝ボトム、および足ボトムのそれぞれに装着されている請求項１ないし１４のいずれか１に記載の格納型側柵付きベッド。
【請求項１７】
側柵は、少なくとも３本以上の支柱を含んで構成され、これらのすべての支柱がボトムの中空残部材に挿入可能なものとなされている請求項１ないし１６のいずれか１に記載の格納型側柵付きベッド。
【発明の詳細な説明】
【技術分野】
【０００１】
この発明は、病院用、移送用、在宅用等に使用されるベッド、特に安全用の側柵を不使用時には格納できるようにした格納型側柵を有するベッドに関する。
【０００２】
尚、本明細書において、アルミニウムの語は、その合金を含む意味において用いる。
【背景技術】
【０００３】
病院用等のベッドでは、ふとんや患者を側面から支えるための安全用として、あるいはベッドに乗り降りする際の手掛かりとするための介助手段として、寝床面となるボトムの幅方向の一端部または両端部に側柵が設けられる。
【０００４】
従来、このようなベッドの側柵には、様々な形式のものがあるが、大きく分けると、ベッドのサイドフレーム等に設けられた差し込み孔に差し込んで設置する差込み脱着式のもの、不使用時に折畳めるようにした折畳み式のもの、サイドフレーム等に昇降移動自在に付設して、不使用時にはボトムの側面下方に降下収納できるようにした格納式のもの等がある。
【０００５】
差込み式側柵の場合、その脱着操作が面倒であると共に、取外したときには側柵の置き場に困る。
【０００６】
この点、折畳み式や昇降格納型の側柵の場合にはそのような問題はない。即ち、下記特許文献１に示されるように、側柵のそれ自体を折畳み式のもとし、不使用時には折畳んでサイドフレームより下方の位置の側面に保持できるようにしたもの、あるいは特許文献２に示されるように、側柵をリンク機構を用いて昇降移動可能に支持し、不使用時には側柵を下降させてベッドへの乗り降り等の邪魔にならないように収納しうるようにしたものが知られている。これらの側柵は折畳み操作あるいは昇降操作によって使用状態と不使用状態時の格納ないし収納状態とに転換できる便利さがある。
【特許文献１】特開２００２−２６２９６３号公報（請求項１、図１）
【特許文献２】特開平８−３８５５７号公報（請求項１、図１）
【発明の開示】
【発明が解決しようとする課題】
【０００７】
しかしながら、従来の上記のような折畳み式あるいは格納式の側柵にあっては、いずれも、ベッドのボトムの寝床面より下方の位置に側柵を下げて格納することを基本コンセプトとするものである。このため、近時益々寝床面の高さ位置を低いものにしたいわゆる低床化の強い要請のもとでは、格納時に側柵が床面に当たるおそれがあるため、上記低床化の要請に十分満足に対応し難いという問題点が派生している。また、上記のような従来の格納式や折畳み式の側柵は、立設使用状態時における堅牢度ないし強度に問題があるとか、構造的に複雑で高価につくとか、あるいは更に使用状態と不使用状態との転換操作の頻繁な繰返しに対して、耐久性に不安が残る等の問題点があった。
【０００８】
この発明の目的は、上記のような問題点を解決すること、より具体的には、側柵の格納の省スペース化をはかり、ベッドの低床化の要請に支障なく対応しうるものとすること、起立使用状態と格納状態との転換操作を容易に行いうるものとすること、また構造的に簡単で、製作コスト面で有利であり、かつ耐久性に優れたものとすること、更に、使用状態時における起立姿勢での堅牢度を、従来の差込み式側柵に相当する十分に強固なものとなし得ること、等の諸要請に応え得る側柵付きベッドを提供することにある。
【課題を解決するための手段】
【０００９】
この発明は、上記の課題解決のために、以下の手段を提供する。
【００１０】
〔１〕ボトムの幅方向端部に側柵が設けられたベッドにおいて、
前記側柵は、少なくとも１対の棒状支柱と、これらの支柱の上端間に横架状に設けられた上部横杆とを備えて、起立姿勢と水平状の倒状姿勢とに転換自在なものとなされ、
前記ボトムは、その寝床面構成部材にボトムの幅方向に延設された複数個の中空桟部材を備え、
前記側柵を、倒状姿勢においてその支柱を前記中空桟部材内に挿入することにより前記ボトム内に格納しうるようになされていることを特徴とする格納型側柵付きベッド。
【００１１】
〔２〕ボトムの幅方向端部に側柵が設けられたベッドにおいて、
側柵は、少なくとも１対の棒状支柱と、これらの支柱の上端間に横架状に設けられた上部横杆とを備え、
前記ボトムは、その寝床面構成部材にボトムの幅方向に延設された複数個の中空桟部材を備え、
前記中空桟部材のボトム幅方向端部に、前記側柵の支柱を起立状態に保持すると共に、この起立保持状態を解除可能であり、かつこの解除状態において側柵をボトムと同じ平面内に倒状転回可能なものとする側柵保持機構が設けられ、
前記側柵を前記倒状させた状態においてその支柱を前記中空桟部材内に挿入することにより前記ボトム内に格納しうるようになされていることを特徴とする格納型側柵付きベッド。
【００１２】
〔３〕側柵及びボトムがいずれもアルミニウム製である前項１または２に記載の格納型側柵付きベッド。
【００１３】
〔４〕ボトムの中空桟部材が、断面略長方形のアルミニウム押出型材からなる前項３に記載の格納型側柵付きベッド。
【００１４】
〔５〕前記中空桟部材の中空部内に、該桟部材の長手方向にスライド可能なスライダーが配置され、
該スライダーに側柵の支柱の下端が軸着されて側柵が起状転回可能なものとなされている前項１ないし４のいずれか１に記載の格納型側柵付きベッド。
【００１５】
〔６〕スライダーが合成樹脂製である前項５に記載の格納型側柵付きベッド。
【００１６】
〔７〕スライダーの周側面の少なくとも一つの面に、ボトムの中空桟部材の内面に弾接してスライダーの安定摺動を促す板ばねが装着されてなる前項５または６に記載の格納型側柵付きベッド。
【００１７】
〔８〕スライダーの上面および少なくとも一側面に前記板ばねが装着されてなる前項７に記載の格納型側柵付きベッド。
【００１８】
〔９〕前記板ばねは、その長さ方向の一端部がスライダーに固着され、他端部がスライダーの外面から遊離して中空桟部材の内面に当接されてなる前項７または８に記載の格納型側柵付きベッド。
【００１９】
〔１０〕ボトムの中空桟部材の中空部の内面に長さ方向に連続する凸状または凹状のレール部が設けられると共に、スライダーに前記レール部に対応する凹状または凸状の案内部が設けられている前項５ないし９のいずれか１に記載の格納型側柵付きベッド。
【００２０】
〔１１〕スライダーは、ボトムの幅方向端縁側の一端に突出状に設けられた軸受部を有し、該軸受部に側柵の支柱の下端部が回転可能に軸着されてなる前項５ないし１０のいずれか１に記載の格納型側柵付きベッド。
【００２１】
〔１２〕側柵の支柱の下端に、軸着用の枢軸が貫通された上下方向に長い長孔を有し、該長孔の長さ範囲内で前記支柱が起立姿勢で上下方向に移動変位可能なものとなされると共に、該支柱の下降位置においてその下端部を受け入れて拘束する竪穴を有する支柱受部材が具備されている前項１１に記載の格納型側柵付きベッド。
【００２２】
〔１３〕前記支柱受部材は、逆ハット型の断面形状を有し、その上端のフランジ部の一端部がボトムの中空桟部材の端部に固着されている前項１２に記載の格納型側柵付きベッド。
【００２３】
〔１４〕前記支柱受部材が、ボルト・ナットによって中空桟部材に固着され、該固着用ボルト・ナットの一端部が中空桟部材の端部内面に突出され、この突出部をもってスライダーの中空桟部材からの脱出防止用のストッパーを構成している前項１３に記載の格納型側柵付きベッド。
【００２４】
〔１５〕ボトムの起状機構を備えたベッドであって、
前記ボトムは、背に対応する背ボトム、腰に対応する腰ボトム、膝に対応する膝ボトム、及び足に対応する足ボトムに分割され、
少なくとも前記背ボトムに側柵が装着されていることを特徴とする前項１ないし１４のいずれか１に記載の格納型側柵付きベッド。
【００２５】
〔１６〕柵が、背ボトム、膝ボトム、および足ボトムのそれぞれに装着されている前項１ないし１４のいずれか１に記載の格納型側柵付きベッド。
【００２６】
〔１７〕側柵は、少なくとも３本以上の支柱を含んで構成され、これらのすべての支柱がボトムの中空残部材に挿入可能なものとなされている前項１ないし１６のいずれか１に記載の格納型側柵付きベッド。
【発明の効果】
【００２７】
本発明は、前記各項のそれぞれの構成において次のような効果を奏する。
【００２８】
先ず、〔１〕の発明においては、側柵が少なくとも１対の棒状支柱とその上端間に横架された上部横杆とを備えて起立倒状転換可能なものとなされている一方、ボトムの寝床面を構成する部材に複数個の中空桟部材が用いられ、前記側柵を倒状状態においてその支柱を前記中空桟部材内に挿入して格納しうるようになされている。即ち、側柵を不使用時には、ボトムと同じ平面内で該ボトム構成体内に格納しうるものとなされている。
【００２９】
従って、不使用時の側柵の置き場に困ることがないのはもとより、格納状態においてベッドのサイドフレームの下面側とか外側面下方に格別の側柵収納スペースを確保する必要がない。また、格納状態において側柵が床面に当たるという心配もない。それ故、側柵自体を設計的に任意の好ましい高さのものに設定できるのはもとより、ベッドの低床化の要請に、側柵の格納スペースの確保の面で制約を受けることがなく、ボトムの高さ位置を十分に低く設定した側柵付き低床ベッドの提供を可能にする。
【００３０】
また、サイドフレームあるいはボトムの外側に側柵の格納スペースを求める場合には、そのスペース分だけボトム幅（ベッド幅方向）に制約を受けるのに対し、本発明にあっては、基本的にボトムの中空桟部材内に側桟を挿入して格納するものであるから、ボトムの幅を大きく設定することが可能になり、ベッドの快適性を増すことができる。
【００３１】
更に、側柵は、その支柱をボトムの中空桟部材からの出し入れによって使用状態と不使用状態との転換をはかり得るものであるから、その転換操作を誰でも比較的容易に理解して簡単に実行することができ、汎用性に優れて使い勝手が良い。
【００３２】
更にまた、構造的に簡単で、複雑な機構部分を有しないことにより、製作コスト上有利であると共に、故障のおそれも少なく耐久性に優れる。
【００３３】
前記〔２〕の発明によれば、前記〔１〕の発明の効果に加え、ボトムの中空桟部材のボトム幅方向端部に側柵の保持機構を備えて、該中空桟部材の端部に側柵を設定しうるものとなされているから、ボトムの起状機構を備えたベッド（ギャッジベッド）において、例えば使用者の背中から頭部にかけての上半身部分に対応する背ボトム、あるいは膝に対応する膝ボトム等の起状可能なボトム部分に本発明を適用することにより、起状動作（ギャッジ動作）させた際にそれらのボトムの起状変位に側柵を追従させることができる。従って、常に側柵を有効な作用位置に保持することができ、安全上好ましい機能を発揮させることができる。
【００３４】
前記〔３〕の発明によれば、側柵及びボトムをいずれもアルミニウム製としたことにより、それらの製作を容易になしうると共に、軽量化をはかることができ、側柵の起状転換操作を軽快に行いうる。
【００３５】
前記〔４〕の発明によれば、ボトムの中空桟部材が断面長方形のアルミニウム押出型材であることにより、ボトムの寝床面をすのこ状の通気性に優れたものに構成することができる。
【００３６】
前記〔５〕の発明によれば、中空桟部材内に設けられたスライダーを案内として、側柵の支柱の出し入れをスムーズに行うことができる。そして、該支柱を中空桟部材の端部外側に引き出した位置で、該支柱を起立させることで、側柵を使用状態に立設することができるので、側柵の使用状態と格納状態との転換操作を行い易い。
【００３７】
前記〔６〕の発明によれば、スライダーが合成樹脂製であることにより、不快な金属どおし摺接音を発することなく、前記支柱の出し入れ操作を一層スムーズに行うことができる。
【００３８】
前記〔７〕の発明によれば、スライダーに安定摺動用の板ばねが装着されているので、ボトムの中空桟部材の内面の断面形状に成形歪等による多少の寸法誤差等が存在しても、この誤差分を上記板ばねで吸収してスライダーの安定摺動をより一層円滑に行わしめることができ、操作性を向上しうる。
【００３９】
前記〔８〕の発明によれば、前記板ばねが、スライダーの上面および少なくとも一側面に装着されているので、中空桟部材の断面の上下方向及び左右方向のいずれの方向に多少の寸法誤差が生じている場合にあっても、該誤差をそれぞれの面に向いた板ばねで吸収してスライダーの円滑な摺動を保障することができる。
【００４０】
前記〔９〕の発明によれば、板ばねが一端をスライダーに固着され、他端を遊離端として中空桟部材の内面に弾接されたものであるから、前記の寸法誤差の吸収範囲を比較的大きく確保しながら、スライダーの円滑な安定摺動特性を良好に確保しうる。
【００４１】
前記〔１０〕の発明によれば、ボトムの中空桟部材とその内部に配置されているスライダーとの相対運動機構に、案内レール機構が採用されている。従って、スライダーの摺動を更に一段とスムーズに、かつ安定良く行わせることができ、ひいては側柵の使用状態と不使用格納状態との転換操作を更に一層スムーズに行うことができる。
【００４２】
前記〔１１〕の発明によれば、スライダーのそれ自体に側柵の支柱の軸受部が突出状に設けられ、これに支柱が直接軸着されたものとなされている。従って、スライダーをボトムの中空桟部材の端部に位置させた状態で、該桟部材から突出する軸受部に枢着された支柱をその位置で起立させることができる。そしてその起立姿勢の保持にスライダーが補助的役割を果たすので、他の支柱保持機構による作用と相俟って支柱の立設姿勢の安定性と保持強度の向上をはかることができる。
【００４３】
前記〔１２〕の発明においては、上記により支柱を立てた状態で該支柱を上下方向に移動変位可能なものとなされると共に、該支柱の下降位置でその下端部を受け入れて拘束する竪穴を有する支柱受部材が具備されているから、従来の差込み式側柵と同様に、側柵を起立姿勢でしっかりと保持することができ、堅牢度に優れたものとすることができる。もとより、側柵の使用状態と格納状態との転換操作も行い易い。
【００４４】
前記〔１３〕の発明においては、上記支柱受部材が断面ハット型のものであり、そのフランジ部の一端部をもってボトムの中空桟部材に固着されているから、支柱受部材自体、強度に優れると共に、その取付強度も優れ、ひいては側柵の起立姿勢を堅固に保持しうる。
【００４５】
前記〔１４〕の発明にあっては、支柱受部材の取付用ボルト・ナットの一端部をもってスライダーの抜脱防止用のストッパーを兼ねるものとなされているから、必要構成部材点数を節減して構造の簡素化をはかりつつ、スライダーの引き出し位置、即ち支柱を立てるときの位置決めを容易にかつ正確に行うことができ、格納状態から使用状態への側柵の転換を行い易い。
【００４６】
前記〔１５〕の発明においては、ギャッジベッドにおいて、最も必要度の高い背ボトムに、格納式でかつ背ボトム追従型の側柵を備えたものとするので、安全上好ましいベッドを提供することができる。
【００４７】
前記〔１６〕の発明においては、更に、膝ボトム及び足ボトムにも追従型の側柵を備えるので、更に一層安全性の高いベッドを提供することができる。
【００４８】
前記〔１７〕の発明においては、側柵が少なくとも３本以上の支柱を備えたものとなされているので、該支柱をボトムの中空桟部材に対して出し入れする際の側柵の移動を円滑に行いうるものとなしうると共に、側柵自体を強度に優れたものとなしうる。
【発明を実施するための最良の形態】
【００４９】
＜第１実施形態＞
図１ないし図７にこの発明の好ましい第１の実施形態を示す。
【００５０】
図１及び図２において、この発明に係るベッド（１）は、ボトムの起状機構を備えたギャッジベッドに構成されたものであり、台車部（２）と、その上に昇降装置（５）を介して高さ位置調整自在に設けられた上部構造体としての寝床部（３）とを有する。
【００５１】
寝床部（３）は、左右１対のサイドフレーム（３ａ）（３ａ）上に、寝床板部としてのボトム（４）を支承したものである。
【００５２】
ボトム（４）は、就寝者の背に対応する背ボトム（４ａ）と、腰に対応する腰ボトム（４ｂ）と、膝に対応する膝ボトム（４ｃ）と、足に対応する足ボトム（４ｄ）との複数の単位ボトムに分割形成され、起状装置を起動して各ボトムを起状動作させ得るものとなされている。
【００５３】
腰ボトム（４ｂ）を除く背ボトム（４ａ）、膝ボトム（４ｃ）、足ボトム（４ｄ）は、いずれもベッドの長さ方向に平行状に配置された左右１対の支持フレーム（６）（６）上に、寝床面構成部材としての複数本の桟部材（７）をボトム幅方向に所定間隔で平行状に配置してすのこ状に形成されたものである。腰ボトム（４ｂ）は、桟部材（８）を密着状態に配して、背ボトム（４ａ）の背上げを行った際、膝ボトム（４ｃ）との間で湾曲可能な撓曲型ボトムに構成されている。
【００５４】
背ボトム（４ａ）、膝ボトム（４ｃ）及び足ボトム（４ｄ）は、いずれもそれらの幅方向両端部に側柵（９）を有する。
【００５５】
これらの側柵（９）は、いずれも各ボトム（４ａ）（４ｃ）（４ｄ）の幅方向両端部において鉛直方向に起立して設けられたものであり、各ボトムの長さに対応して３本ないし５本の棒状の支柱（１０）を有する。そして、これらの支柱（１０）の上端間に横架状に設けられた上部横杆（１１）を有する。この上部横杆（１１）は、ベッドへの乗り降りの際、手掛かりないし手摺りとして介助部材にも利用されるものである。
【００５６】
支柱（１０）は、断面円形のアルミニウム材、即ちアルミパイプ製である。上部横杆（１１）もまた、アルミニウム製であり、上面を円弧状とし、下面を平坦面とした断面かまぼこ型の押出型材からなる。従って、側柵（９）はいずれもオールアルミ製のものである。
【００５７】
側柵（９）を有するボトム（４ａ）（４ｃ）（４ｄ）の寝床面構成部材としての桟部材（７）は、これもいずれもアルミニウム製であり、断面横長長方形の中空押出型材からなる。即ち、この中空桟部材（７）の支持フレーム（６）も同じくアルミニウム押出型材製である。従ってボトム（４）はこれもすべてオールアルミ製のものである。
【００５８】
側柵（９）は、その各支柱（１０）が、対応する各ボトム（４ａ）（４ｃ）（４ｄ）の中空桟部材（７）の配置に対応したものとなされている。そして、図１、２に示す使用状態時の起立姿勢から、不使用時に格納する際には、該側柵（９）をボトム（４）の外側方向に水平状に展開する形で倒状させ、この倒状状態で支柱（１０）をボトム（４）の中空桟部材（７）内に挿入することによって該ボトム内に格納しうるものとなされている。
【００５９】
次に、このような格納を可能とするための具体的な構造について、図３ないし図７を参照して説明する。
【００６０】
ボトム（４）の中空桟部材（７）は、前述のように横方向に広幅の横断面長方形のものであり、内部に中空部（７ａ）を有する。そして、この中空部内にスライダー（１２）が装填配置されている。このスライダー（１２）は、中空桟部材（７）の長手方向に摺動自在なものであり、例えばポリアミド樹脂、ポリオレフィン系樹脂等の表面摩擦係数の小さい、好ましくは耐摩耗性に優れた合成樹脂でつくられている。
【００６１】
また、スライダー（１２）の上面及び左右両側面には、中空桟部材（７）の内面に弾接する板ばね（１３）が取付けられている。これらの板ばね（１３）は、金属または合成樹脂製の帯状片であり、中空桟部材（７）の長手方向に向けて配置され、一端部がスライダー（１２）の外面に取付ねじ等の固着手段で固定され、他端部が湾曲状に形成されてスライダー（１２）の外面から遊離し、該湾曲部の外面が中空桟部材（７）の内面に当接されている。
【００６２】
この板ばね（１３）の付設により、スライダー（１２）は中空桟部材（７）内にしっくりと嵌り込んだものとなされ、中空桟部材（７）の内面中空部（７ａ）の横断面寸法の多少の部分的な誤差に拘わらず、該誤差分を板ばね（１３）で吸収して円滑に中空部（７ａ）内をスライド可能なものとなされている。
【００６３】
スライダー（１２）の外方端側、即ち中空桟部材（７）の端縁側の一端には、１対の舌片状の軸受部（１４）（１４）が突出状に設けられている。そして、この１対の軸受部（１４）（１４）間に側柵（９）の支柱（１０）の下端部が介在され、水平方向に貫通する枢軸（１５）をもって枢着されている。また、この枢軸（１５）が貫通する支柱（１０）の下端部の軸孔（１６）は、上下方向に長い長孔に形成されている。従って、支柱（１０）は、これを起立させた状態において上記長孔の範囲内で上下方向に移動変位可能なものとなされている。
【００６４】
一方、中空桟部材（７）の端部下面には、支柱受部材（１７）が取付けられている。この支柱受部材（１７）は、アルミニウム材をもって横断面ハット型に形成され、支柱（１０）を起立させた状態においてその下端部を受け入れて拘束する竪穴（１７ａ）を有し、支柱（１０）の起立状態を強固に保持しうるものとなされている。そしてまた、支柱（１０）を上方に引き上げて上記竪穴（１７ａ）から抜き出すことにより、上記起立保持状態を解除し、この解除状態で該支柱（１０）を枢軸（１５）を中心に外方に倒状回転させ得るものとなされている。
【００６５】
また、支柱受部材（１７）は、その上端のフランジ部（１７ｂ）の一端部、即ちボトム（４）方向に突出した水平板部の一端部を取付部として、これをボトム（４）の中空桟部材（７）の端部下面に重ね合わせた状態にして、ボルト・ナット（１８）により固着されている。従って、支柱（１０）の下端部を嵌合拘束する前記竪穴（１７ａ）部は、中空桟部材（７）の端部外方に位置されている。
【００６６】
支柱受部材（１７）の取付用ボルト・ナット（１８）は、その一端の袋状ナット部分が中空桟部材（７）の端部内方に突出されている。従って、この袋状ナット部分からなる突出部が、スライダー（１２）の抜脱防止用のストッパーの役目を兼ねるものとなされている。即ち、スライダー（１２）を中空桟部材（７）の端部位置に移動した際、その一端縁が前記ナット部分に当接してそれ以上のスライダーの移動を阻止し、ひいては中空桟部材（７）から脱外するのを防止しうるものとなっている。
【００６７】
上記において、各側柵（９）は、これを使用する際には、支柱（１０）を立て、その下端部を支柱受部材（１７）の竪穴（１７ａ）に差し込むことにより、起立姿勢でしっかりと保持される。従って、側柵（９）は本来の安全用防護柵としての機能を果たすと共に、必要に応じてベッドへの乗り降りの際に上部横杆（１１）を手掛かりとする介助部材としても利用することができる。
【００６８】
一方、使用者がベッドに乗り降りする際、あるいは治療や診断を行うに際して側柵（９）が邪魔になるときは、該側柵（９）の任意のものを格納状態に転換する。
【００６９】
この格納操作は、先ず側柵（９）を若干持ち上げる。これにより支柱（１０）をその軸着用枢軸（１５）が貫通した長孔（１６）を利用して上方に移動させ、その下端部を竪穴（１７ａ）から引き抜く。次いで、枢軸（１５）を中心に側柵全体を外方に倒状させ、ボトム（４）と略同一平面内に水平状に位置させたのち、ボトム（４）方向に押し込む。すると、スライダー（１２）の中空桟部材（７）内でのスライド移動を伴って、支柱（１０）が該中空桟部材（７）に挿入され、図７に示すように上部横杆（１１）が中空桟部材（７）の端面に当接した位置で側柵（９）の格納状態が実現される。
【００７０】
この格納状態から、側柵（９）の使用状態への転換は、上記と逆の手順によって行われる。即ち、支柱（１０）を中空桟部材（７）内から引き出し、スライダー（１２）がボルト・ナット（１８）に当接した位置で支柱（１０）を起立させ、次いで下降移動させて、その下端部を支柱受部材（１７）の竪穴（１７ａ）に嵌合することにより、前記立設使用状態に転換する。
【００７１】
なお、上記に説明した図示の実施形態においては、各側柵（９）に３本ないし５本の支柱（１０）を具備した例を示したが、該支柱（１０）は１つの側柵について少なくとも２本、即ち左右に１対を具備したものであっても良い。
【００７２】
また、側柵（９）は、図示実施形態のように背ボトム（４ａ）、膝ボトム（４ｃ）、及び足ボトム（４ｄ）に装着することが望ましいが、最も必要度の高いボトムのみに、例えば背ボトム（４ａ）のみに装着するものとしても良い。
【００７３】
また、中空桟部材（７）は、実質上中空状のものであって、内部に側柵（９）の支柱（１０）を収納しうるものであれば良い。即ち、周壁の一部に長さ方向に連続するスリット状の開口部を有するものであっても良い。特に例えば、下面側にスリット状開口を有するチャンネル状型材を用いても良い。
【００７４】
＜第２実施形態＞
好ましい第２の実施形態を図８ないし図１２に示す。
【００７５】
この実施形態は、スライダー（２２）及びその案内構造の変形例に係るものであり、その他の構成は前記第１実施形態と同様である。従って、第１実施形態と同一の構成部分については同一の符号を付してその説明を省略する。
【００７６】
この実施形態において、ボトム（４）の中空桟部材（７）には、その両側壁部分に長手方向に連続する形で、内面の中空部（７ａ）側に突出する凸状のレール部（７ｂ）が設けられている。
【００７７】
そして、これに対応して、スライダー（２２）の両側面には、上記レール部（７ｂ）に適合する凹状の案内部（２２ｃ）が設けられ、スライダー（２２）を上記レール部（７ｃ）の案内作用で円滑に摺動させ得るものとなされている。上記レール部（７ｃ）と案内部（２２ｃ）とは、図示の実施形態とは逆に、レール部（７ｃ）を凹溝、案内部（２２ｃ）を凸条に形成しても良い。
【００７８】
一方、スライダー（２２）は、若干の弾性を保有する合成樹脂製のものであり、平面視において幅方向の中央部に図８に示すように内奥部を拡大部（２３ａ）とした切割溝（２３）を有する。そして、この切割部溝（２３）内に拡張用の板ばね（２４）がやや圧縮状態にして介装されている。これにより、スライダー（２２）の切割溝（２３）の両側の翼部は、外方へ開き勝手に付勢され、両側面の案内部（２２ｃ）がレール部（７ｃ）に対して弾力的に確実な嵌合状態を保持しうるものとなされている。
【００７９】
この第２実施形態による場合、中空桟部材（７）内でのスライダー（２２）のスライドに適度な抵抗が与えられ、側柵（９）の格納状態時において不本意に支柱（１０）が中空桟部材（７）内で引き出し方向に移動してしまうことがなく、格納状態を安定に保持しうる。、また、使用状態と不使用状態との転換操作を一層スムーズに行うことができる。
【産業上の利用可能性】
【００８０】
この発明に係るベッドは、主として病院用、介護施設用、移送用ベッドとして好適に適用されるほか、一般の家庭用ベッドとしても適応可能なものである。
【図面の簡単な説明】
【００８１】
【図１】本発明の第１実施形態に係るベッドの斜視図である。
【図２】同ベッドのボトムを背上げした状態で示す側面図である。
【図３】同ベッドの側柵の取付部を示す断面図である。
【図４】図３の側柵取付部の側面図である。
【図５】図３の側柵取付部を、中空桟部材の一部を切欠いて示した斜視図である。
【図６】側柵の格納途上の状態を示す図３相当部分の断面図である。
【図７】側柵の格納時状態を示す図３相当の断面図である。
【図８】本発明の第２実施形態に係るベッドの側柵の取付部を示す平面図である。
【図９】図８の側柵取付部の断面図である。
【図１０】図８の側柵取付部の斜視図である。
【図１１】図８の側柵取付部を、中空桟部材の一部を切欠いて示した斜視図である。
【図１２】図３の側柵取付部の側面図である。
【符号の説明】
【００８２】
１  ………  ベッド
２  ………  台車部
３  ………  寝床部
４  ………  ボトム
４ａ  ……  背ボトム
４ｂ  ……  腰ボトム
４ｃ  ……  膝ボトム
４ｄ  ……  足ボトム
７  ………  中空桟部
７ａ  ……  中空部
７ｂ  ……  レール部
９  ………  側柵
１０  ……  支柱
１１  ……  上部横杆
１２、２２  ……  スライダー
１３、２４  ……  板ばね
１４  ………  軸受部
１５  ………  枢軸
１６  ………  軸孔（長孔）
１７  ………  支柱受部材
１７ａ  ……  竪穴
１７ｂ  ……  フランジ部
１８  ………  取付用ボルト・ナット
２２ｃ  ……  案内部
【図１】
2006000318.tif 000003
【図２】
2006000318.tif 000004
【図３】
2006000318.tif 000005
【図４】
2006000318.tif 000006
【図５】
2006000318.tif 000007
【図６】
2006000318.tif 000008
【図７】
2006000318.tif 000009
【図８】
2006000318.tif 000010
【図９】
2006000318.tif 000011
【図１０】
2006000318.tif 000012
【図１１】
2006000318.tif 000013
【図１２】
2006000318.tif 000014